【手続補正書】
【提出日】令和2年4月13日(2020.4.13)
【手続補正１】
【補正対象書類名】特許請求の範囲
【補正対象項目名】全文
【補正方法】変更
【補正の内容】
【特許請求の範囲】
【請求項１】
グループメッセージ表示インターフェースにおける第１の連絡先に対する操作を検出するステップであって、前記グループメッセージ表示インターフェースにおいて前記第１の連絡先のプロフィール画像が第１の方向へ所定距離分、ドラッグされたことを検出するステップを備える、前記検出するステップ（１０１）と；
前記グループメッセージ表示インターフェースへ、前記第１の連絡先の全てのメッセージを、前記第１の連絡先の前記プロフィール画像に基づき、前記メッセージが投稿された時系列に従って表示するステップ（１０２）と；
他の連絡先のメッセージを隠すステップと；を備える、
グループメッセージを処理する方法。
【請求項２】
前記他の連絡先のメッセージ件数を、前記グループメッセージ表示インターフェースの対応する表示位置に、前記メッセージが投稿された時系列に従って表示するステップ（１０３）；を更に備える、
請求項１に記載のグループメッセージを処理する方法。
【請求項３】
前記グループメッセージ表示インターフェースの色を変えるステップ；及び／又は、前記第１の連絡先のメッセージを選択するプロンプトを前記グループメッセージ表示インターフェースに表示するステップ；を更に備える、
請求項１又は請求項２に記載のグループメッセージを処理する方法。
【請求項４】
第１のアイコンと第２のアイコンとを、前記グループメッセージ表示インターフェースの所定位置に表示するステップ；を更に備え、
前記第１のアイコンは全ての連絡先を示すアイコンを表し、前記第２のアイコンは選択された第１の連絡先を示すプロフィール画像アイコンを表す、
請求項１又は請求項２に記載のグループメッセージを処理する方法。
【請求項５】
前記グループメッセージ表示インターフェースの前記所定位置において前記第１のアイコンがタップされたことを検出すると、全ての連絡先のメッセージを、前記メッセージが投稿された時系列に従って表示するステップ（２０１）；及び／又は、
前記グループメッセージ表示インターフェースにおいてメッセージ件数がタップされたことを検出すると、前記メッセージ件数に対応する全てのメッセージを、前記メッセージが投稿された時系列に従って表示するステップ（２０２）；を更に備える、
請求項４に記載のグループメッセージを処理する方法。
【請求項６】
前記グループメッセージ表示インターフェースへ、前記第１の連絡先の全てのメッセージを、前記第１の連絡先の前記プロフィール画像に基づき、前記メッセージが投稿された時系列に従って表示する前記ステップの後に：
前記グループメッセージ表示インターフェースにおいて第２の連絡先のプロフィール画像が前記第１の方向へ所定距離分、ドラッグされたことを検出するステップ（４０１）と；
前記グループメッセージ表示インターフェースへ、前記第２の連絡先の全てのメッセージを、前記第２の連絡先の前記プロフィール画像に基づき、前記メッセージが投稿された時系列に従って追加表示するステップであって、前記第１の連絡先の全てのメッセージ及び前記第２の連絡先の全てのメッセージは、前記メッセージが投稿された時系列に従って表示される、前記追加表示するステップ（４０２）と；
前記グループメッセージ表示インターフェースの所定位置に、第３のアイコンを追加表示するステップであって、前記第３のアイコンは、選択された第２の連絡先を示すプロフィール画像アイコンを表す、前記追加表示するステップ（４０３）と；
前記グループメッセージ表示インターフェースにて、前記第２の連絡先のメッセージ件数を、前記メッセージが投稿された時系列に従って、前記対応する表示位置に表示された前記他の連絡先のメッセージ件数から減算するステップ（４０４）と；を更に備える、
請求項２に記載のグループメッセージを処理する方法。
【請求項７】
前記グループメッセージ表示インターフェースの所定位置において前記第２のアイコン又は前記第３のアイコンが第２の方向へ所定距離分、ドラッグされたことを検出するステップ（５０１）と；
前記第２のアイコン又は前記第３のアイコンに対応する連絡先のメッセージを前記グループメッセージ表示インターフェースへ表示するステップをスキップするステップ（５０２）と；
前記グループメッセージ表示インターフェースにて、前記第２のアイコン又は前記第３のアイコンに対応する前記連絡先のメッセージ件数分、前記メッセージが投稿された時系列に従って、前記対応する表示位置に表示された前記他の連絡先のメッセージ件数を増分するステップ（５０３）と；を更に備える、
請求項６に記載のグループメッセージを処理する方法。
【請求項８】
新しいメッセージを検出する際、
前記新しいメッセージは、選択された連絡先により投稿された新しいメッセージである、又は、ユーザにより投稿された新しいメッセージである、と特定された場合、前記新しいメッセージを前記グループメッセージ表示インターフェースに表示するステップと；
前記新しいメッセージは、他の連絡先により投稿された新しいメッセージである、と特定された場合、前記新しいメッセージを前記グループメッセージ表示インターフェースへ表示するステップをスキップし、前記メッセージ件数を、前記メッセージが投稿された時系列に従って前記対応する表示位置に表示するステップと；を更に備える、
請求項１乃至請求項７に記載のグループメッセージを処理する方法。
【請求項９】
グループメッセージ表示インターフェースにおける第１の連絡先に対する操作を検出するよう構成された検出モジュールであって、前記グループメッセージ表示インターフェースにおいて前記第１の連絡先のプロフィール画像が第１の方向へ所定距離分、ドラッグされたことを検出することを含む、前記検出モジュールと；
前記グループメッセージ表示インターフェースへ、前記第１の連絡先の全てのメッセージを、前記第１の連絡先の前記プロフィール画像に基づき、前記メッセージが投稿された時系列に従って表示するよう構成された第１の表示モジュールと；
他の連絡先のメッセージを隠すように構成された隠しモジュールと；を備える、
グループメッセージを処理するデバイス。
【請求項１０】
前記検出モジュールは：
前記他の連絡先のメッセージ件数を、前記グループメッセージ表示インターフェースの対応する表示位置に、前記メッセージが投稿された時系列に従って表示するよう構成された第２の表示モジュール；を更に備える、
請求項９に記載のグループメッセージを処理するデバイス。
【請求項１１】
選択プロンプトモジュール；を更に備え、
前記選択プロンプトモジュールは、前記グループメッセージ表示インターフェースにおいて前記第１の連絡先のプロフィール画像が前記第１の方向へ前記所定距離分、ドラッグされたことを前記検出モジュールが検出した後に、前記グループメッセージ表示インターフェースの色を変えるよう、及び／又は、前記第１の連絡先のメッセージを選択するプロンプトを前記グループメッセージ表示インターフェースに表示するよう構成される、
請求項９又は請求項１０に記載のグループメッセージを処理するデバイス。
【請求項１２】
第１のアイコンと第２のアイコンとを、前記グループメッセージ表示インターフェースの所定位置に表示するよう構成された第３の表示モジュール；を更に備え、
前記第１のアイコンは全ての連絡先を示すアイコンを表し、前記第２のアイコンは選択された第１の連絡先を示すプロフィール画像アイコンを表す、
請求項９又は請求項１０に記載のグループメッセージを処理するデバイス。
【請求項１３】
前記検出モジュールは、前記グループメッセージ表示インターフェースの前記所定位置において前記第１のアイコンがタップされたことを検出するよう更に構成され；
前記第１の表示モジュールは、全ての連絡先のメッセージを、前記メッセージが投稿された時系列に従って表示するよう更に構成され；
前記検出モジュールは、前記グループメッセージ表示インターフェースにおいてメッセージ件数がタップされたことを検出するように更に構成され；
前記第１の表示モジュールは、前記メッセージ件数に対応する全てのメッセージを、前記メッセージが投稿された時系列に従って表示するように更に構成される；
請求項９又は請求項１０に記載のグループメッセージを処理するデバイス。
【請求項１４】
前記検出モジュールは、前記第１の表示モジュールが、前記グループメッセージ表示インターフェースへ、前記第１の連絡先の全てのメッセージを、前記メッセージが投稿された時系列に従って表示した後に、前記グループメッセージ表示インターフェースにおいて第２の連絡先のプロフィール画像が前記第１の方向へ所定距離分、ドラッグされたことを検出するよう更に構成され；
前記第１の表示モジュールは、前記グループメッセージ表示インターフェースへ、前記第２の連絡先の全てのメッセージを、前記第２の連絡先の前記プロフィール画像に基づき、前記メッセージが投稿された時系列に従って追加表示するよう更に構成され、前記第１の連絡先の全てのメッセージ及び前記第２の連絡先の全てのメッセージは、前記メッセージが投稿された時系列に従って表示され；
第３の表示モジュールは、前記グループメッセージ表示インターフェースの所定位置に、第３のアイコンを追加表示するよう構成され、前記第３のアイコンは、選択された第２の連絡先を示すプロフィール画像アイコンを表し；
前記第２の表示モジュールは、前記グループメッセージ表示インターフェースにて、前記第２の連絡先のメッセージ件数を、前記メッセージが投稿された時系列に従って、前記対応する表示位置に表示された前記他の連絡先のメッセージ件数から減算するよう更に構成される、
請求項９又は請求項１０に記載のグループメッセージを処理するデバイス。
【請求項１５】
前記検出モジュールは、前記グループメッセージ表示インターフェースの所定位置において前記第２のアイコン又は前記第３のアイコンが第２の方向へ所定距離分、ドラッグされたことを検出するよう更に構成され；
前記第１の表示モジュールは、前記第２のアイコン又は前記第３のアイコンに対応する連絡先のメッセージを前記グループメッセージ表示インターフェースへ表示するステップをスキップするよう更に構成され；
前記第２の表示モジュールは、前記グループメッセージ表示インターフェースにて、前記第２のアイコン又は前記第３のアイコンに対応する前記連絡先のメッセージ件数分、前記メッセージが投稿された時系列に従って、前記対応する表示位置に表示された前記他の連絡先のメッセージ件数を増分するよう更に構成される；
請求項１４に記載のグループメッセージを処理するデバイス。
【請求項１６】
前記第１の表示モジュールは、前記検出モジュールが新しいメッセージを検出し、前記新しいメッセージは、選択された連絡先により投稿された新しいメッセージである、又は、ユーザにより投稿された新しいメッセージである、と特定した場合、前記グループメッセージ表示インターフェースに前記新しいメッセージを表示するよう更に構成され；
前記第２の表示モジュールは、前記検出モジュールが新しいメッセージを検出し、前記新しいメッセージは、他の連絡先により投稿された新しいメッセージである、と特定した場合、前記新しいメッセージを前記グループメッセージ表示インターフェースへ表示するステップをスキップし、前記メッセージ件数を、前記メッセージが投稿された時系列に従って前記対応する表示位置に表示するよう更に構成される；
請求項９乃至請求項１５に記載のグループメッセージを処理するデバイス。
【手続補正２】
【補正対象書類名】明細書
【補正対象項目名】０１１８
【補正方法】変更
【補正の内容】
【０１１８】
前述の説明は、本開示のいくつかの好ましい実施を示し説明している。しかしながら、上述のように、本開示は本明細書に開示された形態に限定されず、その形態は他の実施から排除されることを意図するものではなく、他の様々な組み合わせ、変形、及び環境において使用可能であり、先の教示又は関連分野における技術及び知識を使用することによって、本明細書の発明概念の範囲内で変更することができることを理解すべきである。更に、当業者によって行われる修正及び変形はすべて、本開示の精神及び範囲から逸脱しない限り、本開示の添付の特許請求の範囲の保護範囲内に含まれるべきである。
［第１の局面］
グループメッセージ表示インターフェースにおける第１の連絡先に対する操作を検出するステップと；
前記グループメッセージ表示インターフェースへ、第１の連絡先の全てのメッセージを、前記メッセージが投稿された時系列に従って表示するステップと；
他の連絡先のメッセージを隠すステップと；を備える、
グループメッセージを処理する方法。
［第２の局面］
前記グループメッセージ表示インターフェースにおいて前記第１の連絡先のプロフィール画像が第１の方向へ所定距離分、ドラッグされたことを検出するステップと；
前記グループメッセージ表示インターフェースへ、前記第１の連絡先の全ての前記メッセージを、前記第１の連絡先の前記プロフィール画像に基づき、前記メッセージが投稿された時系列に従って表示するステップと；
前記他の連絡先のメッセージ件数を、前記グループメッセージ表示インターフェースの対応する表示位置に、前記メッセージが投稿された時系列に従って表示するステップと；を更に備える、
第１の局面に記載のグループメッセージを処理する方法。
［第３の局面］
前記グループメッセージ表示インターフェースの色を変えるステップ、及び／又は、前記グループメッセージ表示インターフェースへ、前記第１の連絡先のメッセージを選択するプロンプトを表示するステップを更に備える、
第１の局面又は第２の局面に記載のグループメッセージを処理する方法。
［第４の局面］
第１のアイコンと第２のアイコンとを、前記グループメッセージ表示インターフェースの所定位置に表示するステップを更に備え、前記第１のアイコンは全ての連絡先を示すアイコンを表し、前記第２のアイコンは前記選択された第１の連絡先を示すプロフィール画像アイコンを表す、
第１の局面又は第２の局面に記載のグループメッセージを処理する方法。
［第５の局面］
前記グループメッセージ表示インターフェースの前記所定位置において前記第１のアイコンがタップされたことを検出すると、全ての前記連絡先のメッセージを、前記メッセージが投稿された時系列に従って表示するステップ；及び／又は、
前記グループメッセージ表示インターフェースにおいて前記メッセージ件数がタップされたことを検出すると、前記メッセージ件数に対応する全てのメッセージを、前記メッセージが投稿された時系列に従って表示するステップ；を更に備える、
第４の局面に記載のグループメッセージを処理する方法。
［第６の局面］
前記グループメッセージ表示インターフェースへ、前記第１の連絡先の全ての前記メッセージを、前記第１の連絡先の前記プロフィール画像に基づき、前記メッセージが投稿された時系列に従って表示する前記ステップの後に：
前記グループメッセージ表示インターフェースにおいて第２の連絡先のプロフィール画像が前記第１の方向へ所定距離分、ドラッグされたことを検出するステップと；
前記グループメッセージ表示インターフェースへ、前記第２の連絡先の全てのメッセージを、前記第２の連絡先の前記プロフィール画像に基づき、前記メッセージが投稿された時系列に従って追加表示するステップであって、前記第１の連絡先の全ての前記メッセージ及び前記第２の連絡先の全ての前記メッセージは、前記メッセージが投稿された時系列に従って表示される、前記追加表示するステップと；
前記グループメッセージ表示インターフェースの所定位置に、第３のアイコンを追加表示するステップであって、前記第３のアイコンは、前記選択された第２の連絡先を示すプロフィール画像を表す、前記追加表示するステップと；
前記グループメッセージ表示インターフェースにて、前記第２の連絡先のメッセージ件数を、前記メッセージが投稿された時系列に従って、前記対応する表示位置に表示された前記他の連絡先の前記メッセージ件数から減算するステップと；を更に備える、
第２の局面に記載のグループメッセージを処理する方法。
［第７の局面］
前記グループメッセージ表示インターフェースの前記所定位置において第２のアイコン又は前記第３のアイコンが第２の方向へ所定距離分、ドラッグされたことを検出するステップと；
前記第２のアイコン又は前記第３のアイコンに対応する連絡先のメッセージを前記グループメッセージ表示インターフェースへ表示するステップをスキップするステップと；
前記グループメッセージ表示インターフェースにて、前記第２のアイコン又は前記第３のアイコンに対応する前記連絡先のメッセージ件数分、前記メッセージが投稿された時系列に従って、前記対応する表示位置に表示された前記他の連絡先の前記メッセージ件数を増分するステップと；を更に備える、
第６の局面に記載のグループメッセージを処理する方法。
［第８の局面］
新しいメッセージを検出する際、前記新しいメッセージは、選択された連絡先により投稿された新しいメッセージである、又は、ユーザにより投稿された新しいメッセージである、と特定された場合、前記新しいメッセージを前記グループメッセージ表示インターフェースに表示するステップと；
前記新しいメッセージが他の連絡先により投稿された新しいメッセージである、と特定された場合、前記新しいメッセージを前記グループメッセージ表示インターフェースへ表示するステップをスキップし、前記メッセージ件数を、前記メッセージが投稿された時系列に従って前記対応する表示位置に表示するステップと；を更に備える、
第１の局面乃至第７の局面に記載のグループメッセージを処理する方法。
［第９の局面］
グループメッセージ表示インターフェースにて第１の連絡先への操作を検出するよう構成された検出モジュールと；
前記グループメッセージ表示インターフェースへ、前記第１の連絡先の全てのメッセージを、前記メッセージが投稿された時系列に従って表示するよう構成された第１の表示モジュールと；
他の連絡先のメッセージを隠すように構成された隠しモジュールと；を備える、
グループメッセージを処理するデバイス。
［第１０の局面］
前記検出モジュールは、前記グループメッセージ表示インターフェースにおいて前記第１の連絡先のプロフィール画像が第１の方向へ所定距離分、ドラッグされたことを検出するよう構成され；
前記第１の表示モジュールは、前記第１の連絡先の全ての前記メッセージを、前記第１の連絡先の前記プロフィール画像に基づき、前記メッセージが投稿された時系列に従って前記グループメッセージ表示インターフェースへ表示するよう構成され；
前記他の連絡先のメッセージ件数を、前記メッセージが投稿された時系列に従って、前記グループメッセージ表示インターフェースの対応する表示位置に表示するよう構成された第２の表示モジュールを更に備える、
第９の局面に記載のグループメッセージを処理するデバイス。
［第１１の局面］
選択プロンプトモジュールを更に備え、前記選択プロンプトモジュールは、前記グループメッセージ表示インターフェースにおいて前記第１の連絡先の前記プロフィール画像が前記第１の方向へ前記所定距離分、ドラッグされたことを前記検出モジュールが検出した後に、前記グループメッセージ表示インターフェースの色を変えるよう、及び／又は、前記第１の連絡先の前記メッセージを選択するプロンプトを前記グループメッセージ表示インターフェースに表示するよう構成される、
第９の局面又は第１０の局面に記載のグループメッセージを処理するデバイス。
［第１２の局面］
第１のアイコンと第２のアイコンとを前記グループメッセージ表示インターフェースの所定位置に表示するよう構成された第３の表示モジュールを更に備え、前記第１のアイコンは全ての連絡先を示すアイコンを表し、前記第２のアイコンは前記選択された第１の連絡先を示すプロフィール画像アイコンを表す、
第９の局面又は第１０の局面に記載のグループメッセージを処理するデバイス。
［第１３の局面］
前記検出モジュールは、前記グループメッセージ表示インターフェースの前記所定位置において前記第１のアイコンがタップされたことを検出するよう更に構成され；
前記第１の表示モジュールは、全ての前記連絡先のメッセージを、前記メッセージが投稿された時系列に従って表示するよう更に構成され；
前記検出モジュールは、前記グループメッセージ表示インターフェースにおいて前記メッセージ件数がタップされたことを検出するように更に構成され；
前記第１の表示モジュールは、前記メッセージ件数に対応する全てのメッセージを、前記メッセージが投稿された時系列に従って表示するように更に構成される；
第９の局面又は第１０の局面に記載のグループメッセージを処理するデバイス。
［第１４の局面］
前記検出モジュールは：前記第１の表示モジュールが、前記第１の連絡先の全ての前記メッセージを、前記メッセージが投稿された時系列に従って、前記グループメッセージ表示インターフェースへ表示した後に、前記グループメッセージ表示インターフェースにおける第２の連絡先のプロフィール画像が前記第１の方向へ所定距離分、ドラッグされたことを検出するよう更に構成され；
前記第１の表示モジュールは、前記グループメッセージ表示インターフェースにおいて前記第２の連絡先の全てのメッセージを、前記第２の連絡先の前記プロフィール画像に基づき、前記メッセージが投稿された時系列に従って追加表示するよう更に構成され、前記第１の連絡先の全ての前記メッセージと前記第２の連絡先の全ての前記メッセージとが、前記メッセージが投稿された時系列に従って表示され；
第３の表示モジュールは、第３のアイコンを、前記グループメッセージ表示インターフェースの所定位置に追加表示するよう構成され、前記第３のアイコンは前記選択された第２の連絡先を示すプロフィール画像アイコンを表し；
前記第２の表示モジュールは、前記グループメッセージ表示インターフェースにて、前記第２の連絡先のメッセージ件数を、前記メッセージが投稿された時系列に従って、前記対応する表示位置に表示された前記他の連絡先の前記メッセージ件数から減算するよう更に構成される、
第９の局面又は第１０の局面に記載のグループメッセージを処理するデバイス。
［第１５の局面］
前記検出モジュールは、前記グループメッセージ表示インターフェースの所定位置において第２のアイコン又は前記第３のアイコンが第２の方向へ所定距離分、ドラッグされたことを検出するよう更に構成され；
前記第１の表示モジュールは、前記グループメッセージ表示インターフェースにて、前記第２のアイコン又は前記第３のアイコンに対応する連絡先のメッセージを表示するステップをスキップするよう更に構成され；
前記第２の表示モジュールは、前記グループメッセージ表示インターフェースにて、前記メッセージが投稿された時系列に従って、前記対応する表示位置に表示された前記他の連絡先の前記メッセージ件数を、前記第２のアイコン又は前記第３のアイコンに対応する前記連絡先のメッセージの件数分、増分するよう更に構成される、
第１４の局面に記載のグループメッセージを処理するデバイス。
［第１６の局面］
前記第１の表示モジュールは、前記検出モジュールが新しいメッセージを検出し、前記新しいメッセージは、選択された連絡先により投稿された新しいメッセージである、又は、ユーザにより投稿された新しいメッセージである、と特定した場合、前記グループメッセージ表示インターフェースに前記新しいメッセージを表示するよう更に構成され；
前記第２の表示モジュールは、前記検出モジュールが新しいメッセージを検出し、前記新しいメッセージは他の連絡先により投稿された新しいメッセージである、と特定した場合、新しいメッセージを、前記グループメッセージ表示インターフェースへ表示するステップをスキップし、前記メッセージ件数を、前記メッセージが投稿された時系列に従って前記対応する表示位置に表示するよう更に構成される、
第９の局面乃至第１５の局面に記載のグループメッセージを処理するデバイス。